(57)【要約】【課題】センサユニット、および、それを備える圧力検出装置において、ＥＳＤ保護回路の有無に影響されることなく、その静電気耐力を向上させることができること。【解決手段】センサユニットにおいて、端子台（２４）の下端面が、ハーメチックガラス（１４）の上端面（１４ＥＳ１）を覆うようにハウジング（１２）の上端面（１２ＥＳ１）に、シリコーン系接着剤により接着され、入出力端子群（４０ａｉ）が突出するハーメチックガラス（１４）の上端面（１４ＥＳ１）全体には、シリコーン系接着剤からなる被覆層（１０Ａ）が所定の厚さで形成されているもの。【選択図】図１
2018136349.tif 000002
【特許請求の範囲】
【請求項１】
圧力を検出するセンサチップと、
前記センサチップの回路に電気的に接続される少なくとも一つの端子を包囲するハーメチックガラスを該センサチップとともに収容するハウジングと、
前記センサチップおよび前記端子と圧力が検出されるべき圧力室とを隔絶するダイヤフラムと、
前記ダイヤフラムと前記センサチップとの間に充填される圧力伝達媒体と、を備え、
前記圧力伝達媒体がシリコーンオイルの場合、シリコーン系接着剤からなる静電気保護層が、前記端子における該ハーメチックガラスの一方の端面に突出する部分の表面、および、該ハーメチックガラスの一方の端面における前記端子の該突出する部分の回りだけを覆うように形成されていることを特徴とするセンサユニット。
【請求項２】
圧力を検出するセンサチップと、
前記センサチップの回路に電気的に接続される少なくとも一つの端子を包囲するハーメチックガラスを該センサチップとともに収容するハウジングと、
前記センサチップおよび前記端子と圧力が検出されるべき圧力室とを隔絶するダイヤフラムと、
前記ダイヤフラムと前記センサチップとの間に充填される圧力伝達媒体と、を備え、
前記圧力伝達媒体がフッ素系液体の場合、エラストマー、または、フッ素グリースからなる静電気保護層が、前記端子における該ハーメチックガラスの一方の端面に突出する部分の表面、および、該ハーメチックガラスの一方の端面における前記端子の該突出する部分の回りだけを覆うように形成されていることを特徴とするセンサユニット。
【請求項３】
請求項１または請求項２記載のセンサユニット、および、該センサユニットの端子を整列させる端子台を収容するセンサユニット収容部を備え、
前記端子を整列させる端子台の端部が、前記ハウジングの一方の端面にシリコーン系接着剤、または、フッ素系接着剤により接着され、前記ダイヤフラムの周縁が前記ハウジングの他方の端面に接合されることを特徴とする圧力検出装置。
【請求項４】
エポキシ系樹脂からなる被覆層が、前記端子台および前記ハウジングを封止する封止材の上面に、形成されることを特徴とする請求項３記載の圧力検出装置。
【請求項５】
シリコーン系樹脂からなる被覆層が、前記端子台および前記ハウジングを封止する封止材の上面に、形成されることを特徴とする請求項３記載の圧力検出装置。
【請求項６】
静電気保護層が、さらに、前記端子台の端部と、前記ハウジングの内周面と、前記ハーメチックガラスの一方の端面とにより囲まれる部分だけに形成されることを特徴とする請求項３記載の圧力検出装置。
【請求項７】
静電気保護層が、さらに、前記端子におけるハーメチックガラスの一方の端面から前記端子台に至るまでの部分だけに形成されることを特徴とする請求項３記載の圧力検出装置。
【請求項８】
静電気保護層が、さらに、前記端子台における前記端子に隣接して形成される環状の突起部から該突起部に向き合う前記ハーメチックガラスの一方の端面に至る部分だけに形成されることを特徴とする請求項３記載の圧力検出装置。
【請求項９】
請求項２記載のセンサユニット、および、該センサユニットの端子を整列させる端子台を収容するセンサユニット収容部を備え、
前記端子台の端部が、前記ハウジングの一方の端面に前記エラストマー、または、フッ素グリースにより接合され、前記ダイヤフラムの周縁が前記ハウジングの他方の端面に接合されることを特徴とする圧力検出装置。
【請求項１０】
エポキシ系樹脂からなる被膜層が、前記端子台および前記ハウジングを封止する封止材の上面に、形成されることを特徴とする請求項９記載の圧力検出装置。
【請求項１１】
シリコーン系樹脂からなる被膜層が、前記端子台および前記ハウジングを封止する封止材の上面に、形成されることを特徴とする請求項９記載の圧力検出装置。
【請求項１２】
空洞部が、前記静電気保護層の上方に形成されていることを特徴とする請求項６記載の圧力検出装置。
【請求項１３】
静電気保護層が、前記ハーメチックガラスの上端面における前記端子が突出する部分と前記ハウジングの上端面における内周縁との間に跨った部分全体にさらに環状に形成され、該ハウジングを封止する封止材が、対向する前記静電気保護層の表面を覆うことを特徴とする請求項１または請求項２記載のセンサユニット。
【請求項１４】
静電気保護層が、さらに、前記ハーメチックガラスの一方の端面における前記端子の該突出する部分の回りに連なる前記ハウジングの表面を覆うことを特徴とする請求項１または請求項２記載のセンサユニット。
【発明の詳細な説明】
【技術分野】
【０００１】
本発明は、センサチップを備えるセンサユニット、および、それを備える圧力検出装置に関する。
【背景技術】
【０００２】
液封型の半導体圧力センサは、例えば、特許文献１および特許文献２にも示されるように、センサユニットの一部を構成している。センサユニットは、後述するハウジングに連結される金属製の継手部の内側に形成される圧力検出室内に配されている。そのようなセンサユニットは、例えば、継手部内に支持され上述の圧力検出室と後述する液封室とを隔絶するダイヤフラムと、ダイヤフラムの上方に形成され圧力伝達媒体としてのシリコーンオイルを貯留する液封室と、液封室内に配されダイヤフラムを介しシリコーンオイルの圧力変動を検出するセンサチップと、センサチップを支持するチップマウント部材と、ハウジングの貫通孔におけるチップマウント部材の周囲を密封するハーメチックガラスと、センサチップからの出力信号の送出およびセンサチップへの電力供給を行う端子群とを主な要素として含んで構成されている。
【０００３】
ハーメチックガラスは、カバー部材内に配される金属製のエレメント本体内に固着されている。エレメント本体は、金属製の継手部に当接するようにカバー部材内に配置されている。また、上述の端子群は、チップマウント部材に隣接してハーメチックガラス内に固着されるとともに、外部リード線に電気的に接続されている。
【先行技術文献】
【特許文献】
【０００４】
【特許文献１】特開２０１４−９８６８５号公報
【特許文献２】特開２０１２−６８１０５号公報
【発明の概要】
【発明が解決しようとする課題】
【０００５】
上述のようなセンサチップの内部回路は、静電気放電（ＥＳＤ）に起因した高電圧により破壊される場合がある。上述のセンサユニットにおいては、例えば、上述の継手部およびエレメント本体からセンサチップに至る経路、あるいは、外部リード線および端子群からセンサチップに至る経路を通じて静電気放電に起因した高電圧がセンサチップの内部回路に印加される虞がある。このような場合の対策として、センサチップ内にＥＳＤ保護回路を組み込むことも考えられる。しかしながら、センサチップのダウンサイジングの要望に伴いセンサチップ内のＥＳＤ保護回路の面積の縮小により、ＥＳＤ保護回路の組み込みが、困難となる場合がある。
【０００６】
以上の問題点を考慮し、本発明は、センサユニット、および、それを備える圧力検出装置であって、ＥＳＤ保護回路の有無に影響されることなく、その静電気耐力を向上させることができるセンサユニット、および、それを備える圧力検出装置を提供することを目的とする。
【課題を解決するための手段】
【０００７】
上述の目的を達成するために、本発明に係るセンサユニットは、圧力を検出するセンサチップと、センサチップの回路に電気的に接続される少なくとも一つの端子を包囲するハーメチックガラスをセンサチップとともに収容するハウジングと、センサチップおよび端子と圧力が検出されるべき圧力室とを隔絶するダイヤフラムと、ダイヤフラムとセンサチップとの間に充填される圧力伝達媒体と、を備え、圧力伝達媒体がシリコーンオイルの場合、シリコーン系接着剤からなる静電気保護層が、端子におけるハーメチックガラスの一方の端面に突出する部分の表面、および、ハーメチックガラスの一方の端面における端子の突出する部分の回りだけを覆うように形成されていることを特徴とする。
【０００８】
また、本発明に係るセンサユニットは、圧力を検出するセンサチップと、センサチップの回路に電気的に接続される少なくとも一つの端子を包囲するハーメチックガラスをセンサチップとともに収容するハウジングと、センサチップおよび端子と圧力が検出されるべき圧力室とを隔絶するダイヤフラムと、ダイヤフラムとセンサチップとの間に充填される圧力伝達媒体と、を備え、圧力伝達媒体がフッ素系液体の場合、エラストマー、または、フッ素グリースからなる静電気保護層が、端子におけるハーメチックガラスの一方の端面に突出する部分の表面、および、ハーメチックガラスの一方の端面における端子の突出する部分の回りだけを覆うように形成されていることを特徴とする。
【０００９】
さらに、本発明に係る圧力検出装置は、上述のセンサユニット、および、センサユニットの端子を整列させる端子台を収容するセンサユニット収容部を備え、端子を整列させる端子台の端部が、ハウジングの一方の端面にシリコーン系接着剤、または、フッ素系接着剤により接着され、ダイヤフラムの周縁がハウジングの他方の端面に接合されることを特徴とする。
【００１０】
静電気保護層が、さらに、端子台の端部と、ハウジングの内周面と、ハーメチックガラスの一方の端面とにより囲まれる部分だけに形成されてもよい。静電気保護層が、さらに、端子におけるハーメチックガラスの一方の端面から端子台に至るまでの部分だけに形成されてもよい。静電気保護層が、さらに、端子台における端子に隣接して形成される環状の突起部から突起部に向き合うハーメチックガラスの一方の端面に至る部分だけに形成されてもよい。
【００１１】
さらにまた、本発明に係る圧力検出装置は、上述のセンサユニット、および、センサユニットの端子を整列させる端子台を収容するセンサユニット収容部を備え、端子台の端部が、ハウジングの一方の端面にエラストマー、または、フッ素グリースにより接合され、ダイヤフラムの周縁がハウジングの他方の端面に接合されることを特徴とする。エポキシ系樹脂からなる被膜層が、端子台およびハウジングを封止する封止材の上面に、形成されてもよく、あるいは、シリコーン系樹脂からなる被膜層が、端子台およびハウジングを封止する封止材の上面に、形成されてもよい。空洞部が、静電気保護層の上方に形成されてもよく、また、静電気保護層が、ハーメチックガラスの上端面における端子が突出する部分とハウジングの上端面における内周縁との間に跨った部分全体にさらに環状に形成され、ハウジングを封止する封止材が、対向する静電気保護層の表面を覆うものであってもよい。静電気保護層が、さらに、ハーメチックガラスの一方の端面における端子の該突出する部分の回りに連なるハウジングの表面を覆うものであってもよい。
【発明の効果】
【００１２】
本発明に係るセンサユニット、および、それを備える圧力検出装置によれば、接着剤からなる静電気保護層が、端子が突出するハーメチックガラスの一方の端面およびハウジングの一方の端面に形成されているのでＥＳＤ保護回路の有無に影響されることなく、センサユニットの静電気耐力を向上させることができる。
【図面の簡単な説明】
【００１３】
【図１】図１は、本発明に係るセンサユニット、および、それを備える圧力検出装置の一例を示す断面図である。
【図２Ａ】図２Ａは、図１に示される例に用いられる静電気保護層の他の一例を示す部分断面図である。
【図２Ｂ】図２Ｂは、図１に示される例に用いられる静電気保護層のさらなる他の一例を示す部分断面図である。
【図２Ｃ】図２Ｃは、図１に示される例に用いられる静電気保護層のさらなる他の一例を示す部分断面図である。
【図３】図３は、本発明に係るセンサユニット、および、それを備える圧力検出装置の他の一例を示す断面図である。
【図４Ａ】図４Ａは、図３に示される例に用いられる静電気保護層を部分的に拡大して示す部分断面図である。
【図４Ｂ】図４Ｂは、図３に示される例に用いられる静電気保護層の他の一例を部分的に拡大して示す部分断面図である。
【図４Ｃ】図４Ｃは、図３に示される例に用いられる静電気保護層のさらなる他の一例を部分的に拡大して示す部分断面図である。
【図５】図５は、本発明に係るセンサユニット、および、それを備える圧力検出装置のさらなる他の一例を示す断面図である。
【図６Ａ】図６Ａは、図５に示される例に用いられる静電気保護層を部分的に拡大して示す部分断面図である。
【図６Ｂ】図６Ｂは、図５に示される例に用いられる静電気保護層の他の一例を部分的に拡大して示す部分断面図である。
【図６Ｃ】図６Ｃは、図５に示される例に用いられる静電気保護層のさらなる他の一例を部分的に拡大して示す部分断面図である。
【図６Ｄ】図６Ｄは、図５に示される例に用いられる静電気保護層のさらなる他の一例を部分的に拡大して示す部分断面図である。
【図６Ｅ】図６Ｅは、図５に示される例に用いられる静電気保護層のさらなる他の一例を部分的に拡大して示す部分断面図である。
【発明を実施するための形態】
【００１４】
図１は、本発明に係るセンサユニット、および、それを備える圧力検出装置の一例を概略的に示す。
【００１５】
図１において、圧力検出装置は、圧力が検出されるべき流体が導かれる配管に接続される継手部材３０と、継手部材３０のベースプレート２８に連結され後述するセンサユニットを収容しセンサチップからの検出出力信号を所定の圧力測定装置に供給するセンサユニット収容部と、を含んで構成されている。
【００１６】
金属製の継手部材３０は、上述の配管の接続部の雄ねじ部にねじ込まれる雌ねじ部３０ｆｓを内側に有している。雌ねじ部３０ｆｓは、矢印Ｐの示す方向から供給される流体を後述する圧力室２８Ａに導くポート３０ａに連通している。ポート３０ａの一方の開口端は、継手部材３０のベースプレート２８とセンサユニットのダイヤフラム３２との間に形成される圧力室２８Ａに向けて開口している。
【００１７】
センサユニット収容部の外郭部は、カバー部材としての円筒状の防水ケース２０により形成されている。樹脂製の防水ケース２０の下端部には、開口部２０ｂが形成されている。内側となる開口部２０ｂの周縁の段差部には、継手部材３０のベースプレート２８の周縁が係合されている。
【００１８】
圧力室２８Ａ内には、継手部材３０のポート３０ａを通じて流体としての空気または液体が供給される。センサユニットのハウジング１２の下端面１２ＥＳ２は、ベースプレート２８に載置されている。
【００１９】
圧力室２８Ａ内の圧力を検出し検出出力信号を送出するセンサユニットは、円筒状のハウジング１２と、圧力室２８Ａとハウジング１２の内周部とを隔絶する金属製のダイヤフラム３２と、複数の圧力検出素子を有するセンサチップ１６と、ガラス層を介してセンサチップ１６を一端部で支持する金属製のチップマウント部材１８と、センサチップ１６に電気的に接続される入出力端子群４０ａｉと、入出力端子群４０ａｉおよびオイル充填用パイプ４４をチップマウント部材１８の外周面とハウジング１２の内周面との間に固定するハーメチックガラス１４と、を主な要素として含んで構成されている。
【００２０】
ダイヤフラム３２は、上述の圧力室２８Ａに向き合うハウジング１２の一方の下端面１２ＥＳ２に支持されている。圧力室２８Ａに配されるダイヤフラム３２を保護するダイヤフラム保護カバー３４は、複数の連通孔３４ａを有している。ダイヤフラム保護カバー３４の周縁は、ダイヤフラム３２の周縁とともに溶接によりステンレス鋼製のハウジング１２の下端面１２ＥＳ２に接合されている。
【００２１】
金属製のダイヤフラム３２と向かい合うセンサチップ１６およびハーメチックガラス１４の端面との間に形成される液封室には、例えば、圧力伝達媒体として所定量のシリコーンオイルＰＭ、または、フッ素系不活性液体がオイル充填用パイプ４４を介して充填されている。なお、オイル充填用パイプ４４の一方の端部は、オイル充填後、二点鎖線で示されるように、押し潰され閉塞される。シリコーンオイルは、例えば、シロキサン結合と有機質のメチル基とからなるジメチルポリシロキサン構造を持つシリコーンオイルとされる。
【００２２】
シリコーンオイルは、例えば、ジメチルシリコーンオイルであって下記の構造式のように、ポリシロキサンの側鎖、末端がすべてメチル基であるものでもよい。
【００２３】
【化１】
2018136349.tif 000003
【００２４】
また、シリコーンオイルは、例えば、メチルフェニルシリコーンオイルであって下記の構造式のように、ポリシロキサンの側鎖の一部がフェニル基であるものでもよい。
【００２５】
【化２】
2018136349.tif 000004
【００２６】
さらに、シリコーンオイルは、例えば、メチルハイドロジェンシリコーンオイルであって、下記の構造式のように、ポリシロキサンの側鎖の一部が水素であるものでもよい。
【００２７】
【化３】
2018136349.tif 000005
【００２８】
さらにまた、シリコーンオイルは、例えば、下記の各構造式のように、側鎖、末端に有機基を導入したものであってもよい。
【００２９】
【化４】
2018136349.tif 000006
【００３０】
【化５】
2018136349.tif 000007
【００３１】
【化６】
2018136349.tif 000008
【００３２】
【化７】
2018136349.tif 000009
【００３３】
また、フッ素系不活性液体は、例えば、パーフルオロカーボン構造をもつ液体、および、ハイドロフルオロエーテル構造をもつ液体、または、下記の構造式のように、三フッ化塩化エチレンの低重合物であって、主鎖にフッ素および塩素が結合し、両端がフッ素、塩素の構造を有するものでもよい。
【００３４】
【化８】
2018136349.tif 000010
【００３５】
さらに、フッ素系不活性液体は、例えば、下記の構造式のように、パーフルオロポリエーテル構造をもつフッ素液体でもよい。
【００３６】
【化９】
2018136349.tif 000011
【００３７】
ハーメチックガラス１４の端部に形成される凹部に配されるセンサチップ１６とダイヤフラム３２との間には、さらに、金属製の電位調整部材１７がハーメチックガラス１４の下端面１４ＥＳ２に支持されている。電位調整部材１７は、例えば、特許第３９８７３８６号公報にも示されるような、連通孔を有しセンサチップ１６の回路のゼロ電位に接続される端子に接続されている。
【００３８】
入出力端子群４０ａｉ（ｉ＝１〜８）は、２本の電源用端子と、１本の出力用端子と、５本の調整用端子とから構成されている。各端子の両端部は、それぞれ、上述のハーメチックガラス１４の端部に形成される凹部と後述する端子台２４の孔に突出している。２本の電源用端子と、１本の出力用端子とは、接続端子３６を介して各リード線３８の芯線３８ａに接続されている。各リード線３８は、所定の圧力測定装置に接続される。なお、図１においては、８本の端子うちの４本の端子だけが示されている。
【００３９】
センサチップ１６は、複数の圧力検出素子を有し、例えば、シリコンで略矩形状に形成されている本体部と、本体部の上端面に形成され処理回路を形成する回路層と、第１の層としての回路層の上面に積層される第２の層としての絶縁膜層と、その絶縁膜層に形成されるアルミニウム製のシールド層と、シールド層の上層部を保護する保護層とを含んで構成されている。
【００４０】
なお、上述の例において、センサユニットにおけるセンサチップ１６は、ハーメチックガラス１４内に保持されるチップマウント部材１８の一端部で支持されているが、斯かる例に限られることなく、例えば、センサチップ１６が、チップマウント部材１８を用いることなく、上述のハーメチックガラス１４の凹部を形成する平坦面に直接的に固定されるように構成されてもよい。
【００４１】
入出力端子群４０ａｉを整列させる端子台２４は、樹脂材料、例えば、ポリブチレンテレフタレート（ＰＢＴ）で成形されている。端子台２４は、入出力端子群４０ａｉが挿入される複数個の孔とともに、内側に所定の容積の空洞部を有している。端子台２４の下端面は、ハーメチックガラス１４の上端面１４ＥＳ１を覆うようにハウジング１２の上端面１２ＥＳ１に、シリコーン系接着剤により接着されている。これにより、所定の厚さを有する環状の接着層１０Ｂがハウジング１２の上端面１２ＥＳ１に形成されることとなる。
【００４２】
端子台２４の空洞部を形成する内周面であってハーメチックガラス１４の上端面１４ＥＳ１に向き合う内周面には、ハーメチックガラス１４に向けて突出する環状の突起部２４Ｐが形成されている。突起部２４Ｐの突出長さは、被覆層１０Ａの粘性等に応じて設定されている。このように環状の突起部２４Ｐが形成されることにより、後述の被覆層１０Ａが形成されるとき、塗布された被覆層１０Ａの一部が、表面張力により突起部２４Ｐと端子台２４の空洞部を形成する内周面であってハーメチックガラス１４の上端面１４ＥＳ１に略直交する内周面との間の狭い空間内に引っ張られ保持されるので被覆層１０Ａが端子台２４の空洞部内における一方側に偏ることなく均一に塗布されることとなる。
【００４３】
また、入出力端子群４０ａｉが突出するハーメチックガラス１４の上端面１４ＥＳ１全体には、シリコーン系接着剤からなる被覆層１０Ａが所定の厚さで形成されている。なお、被覆層１０Ａが、ハーメチックガラス１４の上端面１４ＥＳ１から突出する入出力端子群４０ａｉの一部分もさらに覆うように、図１に斜線で示される部分１０ＡＡに形成されてもよい。
【００４４】
従って、シリコーン系接着剤からなる静電気保護層１０が被覆層１０Ａおよび接着層１０Ｂにより形成されることとなる。このようにシリコーン系接着剤により静電気保護層１０が形成されることにより、ＥＳＤ保護回路の有無に影響されることなく、センサユニットの静電気耐力が、向上することとなる。
【００４５】
上述のシリコーン系接着剤は、例えば、柔軟性のある付加型の一成分系であるものが好ましい。シリコーン系接着剤は、例えば、低分子シロキサン結合を有する接着剤とされる。
【００４６】
シリコーン系接着剤は、例えば、ベースポリマーのポリシロキサンのケイ素原子上の置換基がメチル基、フェニル基、トリフルオロプロピル基等のフッ素化炭化水素基などであってもよい。また、下記の構造式を有する縮合型シリコーンゴムを主成分とするものでもよい。
【００４７】
【化１０】
2018136349.tif 000012
【００４８】
シリコーン系接着剤は、例えば、下記の構造式を有する付加型シリコーンゴムを主成分とするものでもよい。
【００４９】
【化１１】
2018136349.tif 000013
【００５０】
シリコーン系接着剤は、例えば、シリコーンオイルを基油としたシリコーングリースであってもよい。
【００５１】
また、シリコーン系接着剤とシリコーンオイルとが相性がよいのでシリコーン系接着剤にシリコーンオイル等が万一混じりあった場合であっても、シリコーン系接着剤の接着性が悪化する虞がない。
【００５２】
なお、シリコーン系接着剤は、２成分系であってもよく、縮合型、ＵＶ硬化型であってもよい。シリコーン系接着剤の代わりに、二成分系のウレタン系接着剤が用いられても良い。また、上述の圧力伝達媒体としてフッ素系不活性液体が使用される場合、フッ素系接着剤とフッ素系不活性液体との相性がよいのでフッ素系接着剤が使用されてもよい。フッ素系接着剤は、自己接着性を有する液状フッ素エラストマーとされる。これにより、フッ素系接着剤にフッ素系不活性液体等が万一混じりあった場合であっても、フッ素系接着剤の接着性が悪化する虞がない。
【００５３】
さらに、フッ素系接着剤に代えて、例えば、充填材料としてフッ素化ポリエーテル骨格と末端のシリコーン架橋反応基を含む下記の構造式を有するエラストマーであってもよい。
【００５４】
【化１２】
2018136349.tif 000014
【００５５】
さらにまた、フッ素系接着剤に代えて、例えば、充填材料として下記の各構造式を有するパーフルオロポリアルキルエーテル油を基油としたフッ素グリースであってもよい。
【００５６】
【化１３】
2018136349.tif 000015
【００５７】
【化１４】
2018136349.tif 000016
【００５８】
【化１５】
2018136349.tif 000017
【００５９】
【化１６】
2018136349.tif 000018
【００６０】
フッ素グリースは、例えば、下記の構造式を有するパーフルオロポリエーテル構造を有するものであってもよい。
【００６１】
【化１７】
2018136349.tif 000019
【００６２】
さらに、フッ素系接着剤に代えて、例えば、下記の構造式を有するパーフロロエラストマーであってもよい。
【００６３】
【化１８】
2018136349.tif 000020
【００６４】
さらにまた、フッ素系接着剤に代えて、例えば、下記の構造式を有するフッ素ゴムであってもよい。
【００６５】
【化１９】
2018136349.tif 000021
【００６６】
端子台２４の上端には、上述の空洞部を閉塞するようにエンドキャップ２２が連結されている。
【００６７】
防水ケース２０の内周面と端子台２４およびエンドキャップ２２の外周面との間、また、防水ケース２０の内周面とハウジング１２の外周面との間には、封止材２６が充填されている。封止材２６は、例えば、ウレタン系樹脂とされる。
【００６８】
なお、封止材２６がウレタン系樹脂である場合、ハウジング１２の外周面とウレタン系樹脂との接着性を向上させるように、ハウジング１２の外周面における領域ＴＲに対し粗面化処理が施されても良い。そのような粗面化処理は、例えば、本出願人による国際出願（ＰＣＴ／ＪＰ２０１３／０８３３５１）に開示されている粗面化処理方法が用いられても良い。
【００６９】
さらに、防水ケース２０内に充填された封止材２６の上面には、加えて、例えば、エポキシ系樹脂、または、シリコーン系樹脂により二点鎖線で示されるように、凸状の被覆層４６が形成されてもよい。これにより、被覆層４６が封止材２６の上面およびリード線３８を封止するので封止材２６の上面に水滴等が溜まることがない。
【００７０】
上述の例においては、静電気保護層１０が被覆層１０Ａおよび接着層１０Ｂにより形成されているが、斯かる例に限られることなく、例えば、図２Ａ乃至図２Ｃに示されるように、静電気保護層を形成する接着層５０、被覆層５２、および、接着層５４が、それぞれ、形成されてもよい。なお、図２Ａ乃至図２Ｃにおいて、図１に示される例における構成要素と同一の構成要素について同一の符号を付して示し、その重複説明を省略する。
【００７１】
図２Ａに示される例においては、静電気保護層を形成する接着層５０が、端子台２４の下端面とハウジング１２の端面とハーメチックガラス１４の上端面１４ＥＳ１の周縁部とに囲まれた比較的小さな空間内だけに形成されてもよい。
【００７２】
図２Ｂに示される例においては、被覆層５２が、入出力端子群４０ａｉにおけるハーメチックガラス１４の上端面１４ＥＳ１から突出し端子台２４に到達するまでの部分だけに形成されてもよい。
【００７３】
図２Ｃに示される例においては、接着層５４が、ハーメチックガラス１４の上端面１４ＥＳ１と上述した環状の突起部２４Ｐとを連結するように形成されてもよい。
【００７４】
図３は、本発明に係るセンサユニット、および、それを備える圧力検出装置の他の一例を概略的に示す。
【００７５】
図１に示される例においては、入出力端子群４０ａｉを整列させる端子台２４を備え、入出力端子群４０ａｉが接続端子３６を介して各リード線３８の芯線３８ａに接続されているものとされるが、その代わりに、図３に示される例では、端子台２４を備えず、入出力端子群４０ａｉが直接的に各リード線３８に接続されるものである。なお、図３において、図１に示される例における構成要素と同一の構成要素について同一の符号を付して示し、その重複説明を省略する。
【００７６】
圧力検出装置は、圧力が検出されるべき流体が導かれる配管に接続される継手部材３０と、継手部材３０のベースプレート２８に連結され後述するセンサユニットを収容しセンサチップからの検出出力信号を所定の圧力測定装置に供給するセンサユニット収容部と、を含んで構成されている。
【００７７】
ハーメチックガラス１４の上端面における入出力端子群４０ａｉが突出する部分と円筒状のハウジング１２の上端面における内周縁との間に跨った部分全体には、静電気保護層を形成する被覆層５６が、全円周にわたり連続して所定の厚さで環状に形成されている。被覆層５６は、例えば、上述したようなシリコーン系接着剤、フッ素系接着剤、充填材料としてフッ素化ポリエーテル骨格と末端のシリコーン架橋反応基を含む下記の構造式を有するエラストマーであってもよい。
【００７８】
被覆層５６は、斯かる例に限られることなく、例えば、図４Ｂに示されるように、静電気保護層を形成する被覆層５８が、ハーメチックガラス１４の上端面における入出力端子群４０ａｉが突出する部分とハウジング１２の上端面における内周縁との間であって、その内周縁および入出力端子群４０ａｉに対し離隔した一部分に、全円周にわたり連続して所定の厚さで環状に形成されてもよい。
【００７９】
また、例えば、図４Ｃに示されるように、静電気保護層を形成する各被膜層５９が、ハーメチックガラス１４の上端面における入出力端子群４０ａｉが突出する部分の周縁に、互いに離隔し分散した形で形成されてもよい。各被覆層５９は、入出力端子群４０ａｉを構成する各入出力端子が突出する部分から半径方向に沿ってハウジング１２の上端面に到達するまで延びるように所定の厚さで放射状に形成されてもよい。
【００８０】
図５は、本発明に係るセンサユニット、および、それを備える圧力検出装置のさらなる他の一例を概略的に示す。
【００８１】
図１に示される例においては、ハーメチックガラス１４内における共通の円周方向に沿って配される入出力端子群４０ａｉを整列させる端子台２４を備え、入出力端子群４０ａｉが接続端子３６を介して各リード線３８の芯線３８ａに接続されているものとされるが、その代わりに、図５に示される例では、入出力端子群６８ａｉ（ｉ＝１〜８）を構成する入出力端子が個別にハーメチックガラス６４ａｉ（ｉ＝１〜８）で被覆された状態でハウジング６２に保持され、しかも、端子台２４を備えず、入出力端子群６８ａｉが直接的に接続端子７１を介して各リード線７２に接続されるものである。なお、図５において、図１に示される例における構成要素と同一の構成要素について同一の符号を付して示し、その重複説明を省略する。
【００８２】
圧力検出装置は、圧力が検出されるべき流体が導かれる配管に接続される継手部材３０と、継手部材３０のベースプレート２８に連結され後述するセンサユニットを収容しセンサチップからの検出出力信号を所定の圧力測定装置に供給するセンサユニット収容部と、を含んで構成されている。
【００８３】
センサユニット収容部の外郭部は、カバー部材としての円筒状の防水ケース６０により形成されている。樹脂製の防水ケース６０の下端部には、開口部が形成されている。内側となる開口部の周縁には、継手部材３０のベースプレート２８の周縁が係合されている。センサユニットのハウジング６２の下端面は、ベースプレート２８に載置されている。
【００８４】
圧力室２８Ａ内の圧力を検出し検出出力信号を送出するセンサユニットは、ハウジング６２と、圧力室２８Ａとハウジング６２の内周部とを隔絶する金属製のダイヤフラム３２と、複数の圧力検出素子を有するセンサチップ１６と、センサチップ１６に電気的に接続される入出力端子群６８ａｉ（ｉ＝１〜８）と、入出力端子群６８ａｉを構成する各端子をハウジング６２の各孔の内周面との間に個別に固定するハーメチックガラス６４ａｉ（ｉ＝１〜８）と、を主な要素として含んで構成されている。
【００８５】
入出力端子群６８ａｉは、２本の電源用端子と、１本の出力用端子と、５本の調整用端子とから構成されている。各端子の一端部は、それぞれ、上述のハーメチックガラス６４ａｉを介してハウジング６２の各孔の端部に挿入されている。２本の電源用端子と、１本の出力用端子とは、接続端子７１を介して各リード線７２の芯線に接続されている。
【００８６】
入出力端子群６８ａｉを構成する入出力端子が突出する各ハーメチックガラス６４ａｉの上端面およびハウジング６２におけるハーメチックガラス６４ａｉ周縁の上端面には、図６Ａに拡大して示されるように、静電気保護層としてシリコーン系接着剤からなる被覆層７０が所定の厚さで形成されている。被覆層７０は、斯かる例に限られることなく、例えば、上述したようなフッ素系接着剤、充填材料としてフッ素化ポリエーテル骨格と末端のシリコーン架橋反応基を含む下記の構造式を有するエラストマーであってもよい。
【００８７】
静電気保護層としての被覆層は、斯かる例に限られることなく、例えば、図６Ｂおよび図６Ｄに拡大されて示されるように、被覆層７４または被覆層７８が、入出力端子が突出する各ハーメチックガラス６４ａｉの上端面および入出力端子の一部だけを覆うように形成されてもよい。
【００８８】
また、静電気保護層としての被覆層７６は、図６Ｃに拡大されて示されるように、入出力端子から離隔された位置であって各ハーメチックガラス６４ａｉの上端面とハウジング６２の上端面とに跨るように形成されてもよい。
【００８９】
さらに、静電気保護層としての被覆層８０は、図６Ｅに拡大されて示されるように、入出力端子から離隔した位置であって各ハーメチックガラス６４ａｉの上端面近傍に隣接したハウジング６２の上端面の位置に、各ハーメチックガラス６４ａｉを取り囲むように形成されてもよい。
【００９０】
なお、本発明に係る圧力検出装置の一例においては、圧力が検出されるべき流体が導かれる配管に接続される雌ねじ部を有する継手部材３０を備えるものとされるが、斯かる例に限られることなく、例えば、雌ねじ部の代わりに、継手部材３０が雄ねじ部を有していてもよく、あるいは、継手部材３０の代わりに、銅製の接続パイプが接続されるものであってもよい。
【符号の説明】
【００９１】
１０    静電気保護層
１０Ａ    被覆層
１０Ｂ    接着層
１２    ハウジング
１４    ハーメチックガラス
１６    センサチップ
１８    チップマウント部材
２４    端子台
２６    封止材
４６    被覆層
【図１】
2018136349.tif 000022
【図２Ａ】
2018136349.tif 000023
【図２Ｂ】
2018136349.tif 000024
【図２Ｃ】
2018136349.tif 000025
【図３】
2018136349.tif 000026
【図４Ａ】
2018136349.tif 000027
【図４Ｂ】
2018136349.tif 000028
【図４Ｃ】
2018136349.tif 000029
【図５】
2018136349.tif 000030
【図６Ａ】
2018136349.tif 000031
【図６Ｂ】
2018136349.tif 000032
【図６Ｃ】
2018136349.tif 000033
【図６Ｄ】
2018136349.tif 000034
【図６Ｅ】
2018136349.tif 000035